(57)【要約】【課題】  盛替え作業を迅速に行うことができ、盛替え作業に伴う現場作業員の労力を小さくする。【解決手段】  ワイヤ４９を介してクレーンにより吊られた足場ユニット８０には、長手方向に移動自在にストッパ８５が装着されるとともにストッパ８５に対向して配置されるスペーサ８７が固定される複数の締結アーム８３が旋回自在に取り付けられている。これらの締結アーム８３の一部を建築物１０の躯体外壁部１１ａ〜１１ｃの一部に掛け渡すとともにスペーサ８７とストッパ８５とで挟み込むことにより、クレーンにより吊られた状態の足場ユニット８０を建築物１０に掛け留められた状態とした後、他の旋回式ブラケット８２を用いて足場ユニット８０を建築物１０に取り付ける。【選択図】    図１５
2006241967.tif 000002
【特許請求の範囲】
【請求項１】
上昇手段により吊られて建築物の外壁に沿って盛り替えられる登攀ユニットの外壁登攀装置であって、
前記登攀ユニットに設けられ、下向きに開口する係合溝を備える係合部材と、
前記建築物に締結されるブラケットに取り外し自在に装着され、前記係合溝に挿入されて前記係合部材が係脱自在に掛け留められる係合ピンとを有し、
前記上昇手段により吊られた状態の前記登攀ユニットを降下させて前記ブラケットに装着された前記係合ピンに前記係合部材を掛け留めることにより前記係合ピンにより吊られた状態とした後、前記建築物に着脱自在に締結されるとともに前記登攀ユニットにクランプ結合される複数のクランプ付きブラケットを用いて前記登攀ユニットを前記建築物に取り付けることを特徴とする外壁登攀装置。
【請求項２】
請求項１記載の外壁登攀装置において、前記登攀ユニットを盛り替える際には、前記登攀ユニットが前記係合ピンにより吊られた状態で、複数の前記クランプ付きブラケットを前記建築物から取り外すことを特徴とする外壁登攀装置。
【請求項３】
上昇手段により吊られて建築物の外壁に沿って盛り替えられる登攀ユニットの外壁登攀装置であって、
前記登攀ユニットに複数設けられ、下向きに開口する係合溝を備える係合部材と、
前記建築物に締結される複数のブラケットのそれぞれに取り外し自在に装着され、前記係合溝に挿入されて前記係合部材が係脱自在に掛け留められる係合ピンとを有し、
前記ブラケットに装着される前記係合ピンのそれぞれに前記係合部材のそれぞれを掛け留めることにより、前記登攀ユニットを複数の前記ブラケットを介して前記建築物に取り付けることを特徴とする外壁登攀装置。
【請求項４】
請求項１〜３のいずれか１項に記載の外壁登攀装置において、ねじ送り機構を介して前記登攀ユニットに連結されることにより高さ方向に移動自在の摺動枠に前記係合部材を設けることを特徴とする外壁登攀装置。
【請求項５】
請求項１〜４のいずれか１項に記載の外壁登攀装置において、前記係合溝の下向き開口部を閉じる脱落防止用部材を前記係合部材に開閉自在に装着することを特徴とする外壁登攀装置。
【請求項６】
上昇手段により吊られて建築物の外壁に沿って盛り替えられる登攀ユニットの外壁登攀装置であって、
前記登攀ユニットに旋回自在に取り付けられ、前記建築物の内側に向けて伸びる締結位置と前記外壁に沿って配置される衝突回避位置とに旋回移動する複数の締結アームと、
前記締結アームのそれぞれに装着され、前記締結アームの長手方向に移動するストッパと、
前記ストッパに対向して配置されるとともに前記締結アームのそれぞれに固定され、前記ストッパとで前記躯体部を挟み込むことにより前記建築物に対して前記登攀ユニットを締結するスペーサとを有し、
前記上昇手段により吊られた状態の前記登攀ユニットを前記締結アームの一部を前記躯体部に掛け渡して前記ストッパと前記スペーサとで前記躯体部を挟み込むことにより前記建築物に対して掛け留めた状態とした後、他の前記締結アームを前記躯体部に掛け渡して他の前記ストッパと他の前記スペーサとで前記躯体部を挟み込むことにより前記登攀ユニットを前記建築物に取り付けることを特徴とする外壁登攀装置。
【請求項７】
請求項６記載の外壁登攀装置において、前記締結アームの基端部には前記登攀ユニットに対して前記締結アームを旋回自在に支持するヒンジ金具が設けられ、前記ヒンジ金具には前記躯体部の高さ位置に合わせて前記登攀ユニットに締結されるクランプが連結されることを特徴とする外壁登攀装置。
【請求項８】
請求項６又は７記載の外壁登攀装置において、前記登攀ユニットを盛り替える際には、一部の前記スペーサと前記ストッパとで前記躯体部を挟み込むことにより前記登攀ユニットが前記建築物に掛け留められた状態で、他の前記スペーサと他の前記ストッパとによる前記躯体部に対する締結を解除することを特徴とする外壁登攀装置。
【請求項９】
上昇手段により吊られて建築物の外壁に沿って盛り替えられる登攀ユニットの外壁登攀方法であって、
長手方向に移動自在にストッパが装着されるとともに前記ストッパに対向して配置されるスペーサが固定される複数の締結アームが旋回自在に取り付けられる前記登攀ユニットを前記上昇手段により吊られた状態とし、
前記締結アームの一部を前記建築物の躯体部の一部に掛け渡すとともに前記躯体部を前記スペーサと前記ストッパとで挟み込むことにより、前記上昇手段により吊られた状態の前記登攀ユニットを前記建築物に掛け留められた状態とした後、
他の前記締結アームを前記躯体部に掛け渡して他の前記ストッパと他の前記スペーサとで前記躯体部を挟み込むことにより前記登攀ユニットを前記建築物に取り付けることを特徴とする外壁登攀方法。
【請求項１０】
請求項９記載の外壁登攀方法において、前記登攀ユニットを盛り替える際には、一部の前記スペーサと前記ストッパとで前記躯体部を挟み込むことにより前記登攀ユニットが前記建築物に掛け留められた状態で、他の前記スペーサと他のストッパとによる前記躯体部に対する締結を解除することを特徴とする外壁登攀方法。
【請求項１１】
請求項１０記載の外壁登攀方法において、前記締結アームは前記登攀ユニットにヒンジ結合され、前記躯体部に締結する際には前記建築物の内側に向けて伸びる締結位置に旋回させられ、前記登攀ユニットを盛り替える際には前記外壁に沿って配置される衝突回避位置に旋回させられることを特徴とする外壁登攀方法。
【発明の詳細な説明】
【技術分野】
【０００１】
本発明は建築物を建造する際に建造中の建築物の外側に配置される足場ユニットや安全ネットなどの登攀ユニットを建築物の外壁に沿って盛り替える外壁登攀装置及び外壁登攀方法に関する。
【背景技術】
【０００２】
中層ないし高層の建築物を建造する際には、地上から足場を組み上げていくことは困難であることから、建築物の外側に配置される足場ユニットを建築物の建築作業の進行に伴って移動させる、即ち盛り替えるようにした技術が開発されている。この足場ユニットは、所定の階数、例えば、３階あるいは４階程度の階数に対応する高さを有し、現場作業員が足場ユニットに設けられた足場板の上で外面塗装作業などの種々の建築作業を行っている間は建築物の躯体部に取り付けられる。現場作業員は所定の作業を終えると足場ユニットから待避し、足場ユニットを建築物の躯体部から取り外す。取り外された足場ユニットはクレーンやホイストなどの起重機により所定の階数まで登攀移動された後、建築物の躯体部に再び取り付けられ、現場作業員は足場ユニットの足場板に乗り込んで建築作業の続きを行う。
【０００３】
このようなタイプの足場ユニットを盛り替える際には、足場ユニットの落下を防止するため、起重機により吊られた状態で建築物の躯体部から取り外されていた。よって、足場ユニットを盛り替えている間はクレーンなどの起重機を使用し続けることになるが、クレーンなどの起重機は建築資材の上層階への搬入などにも使用されることから、工期を短縮する上での妨げとなっていた。従来、特許文献１に開示されるように、クレーンなどの起重機に代えて、電気チェーンブロックを建築物の躯体部に取り付け、足場ユニットに連結されるチェーンを電気チェーンブロックで巻き取ることにより足場ユニットを登攀移動させる技術が知られている。
【特許文献１】特開２００４−３６０２１４号公報
【発明の開示】
【発明が解決しようとする課題】
【０００４】
従来、建築物の躯体部に対して足場ユニットを取り付けるために、躯体部に締結されるブラケットに形成される貫通孔と足場ユニットに複数形成される貫通孔のいずれか１つとを一致させた後、それぞれの貫通孔に固定ピンを挿入することによって躯体部に対して足場ユニットを取り付ける方法が知られている（例えば、特許文献１参照）。しかしながら、起重機や電気チェーンブロックなどの上昇手段を操作して貫通孔を一致させる作業は煩雑であり、貫通孔の形成されている間隔によっては、各フロアに締結されるブラケットのそれぞれに形成される貫通孔の全てを足場ユニットに形成される貫通孔に一致させることが出来ない、つまり固定ピンを挿入することが出来ないこともある。加えて、貫通孔に挿入された固定ピンには足場ユニットの自重が作用するため、足場ユニットを盛り替える際には起重機などを駆動させ足場ユニットを僅かに持ち上げた状態でなければ固定ピンを取り外すことが出来ないが、このとき足場ユニットを持ち上げ過ぎても固定ピンを取り外すことが出来ないことからその調節を慎重に行う必要があり、足場ユニットの盛替え作業を迅速に行う上での妨げとなっていた。
【０００５】
従来、クレーンなどの起重機を用いて足場ユニットを盛り替える際には、その落下を防止するため、足場ユニットを建築物から取り外す段階から起重機を駆動して足場ユニットを吊るした状態とする必要があり、起重機を操縦する時間が長いことから、これを操縦する現場作業員の負担が大きく、その間は上層階への建築資材の搬入などに使用できないことから、工期を短縮する上での妨げとなっていた。
【０００６】
本発明の目的は、盛替え作業を迅速に行うことができ、盛替え作業に伴う現場作業員の労力を小さくすることにある。
【課題を解決するための手段】
【０００７】
本発明の外壁登攀装置は、上昇手段により吊られて建築物の外壁に沿って盛り替えられる登攀ユニットの外壁登攀装置であって、前記登攀ユニットに設けられ、下向きに開口する係合溝を備える係合部材と、前記建築物に締結されるブラケットに取り外し自在に装着され、前記係合溝に挿入されて前記係合部材が係脱自在に掛け留められる係合ピンとを有し、前記上昇手段により吊られた状態の前記登攀ユニットを降下させて前記ブラケットに装着された前記係合ピンに前記係合部材を掛け留めることにより前記係合ピンにより吊られた状態とした後、前記建築物に着脱自在に締結されるとともに前記登攀ユニットにクランプ結合される複数のクランプ付きブラケットを用いて前記登攀ユニットを前記建築物に取り付けることを特徴とする。
【０００８】
本発明の外壁登攀装置は、前記登攀ユニットを盛り替える際には、前記登攀ユニットが前記係合ピンにより吊られた状態で、複数の前記クランプ付きブラケットを前記建築物から取り外すことを特徴とする。
【０００９】
本発明の外壁登攀装置は、上昇手段により吊られて建築物の外壁に沿って盛り替えられる登攀ユニットの外壁登攀装置であって、前記登攀ユニットに複数設けられ、下向きに開口する係合溝を備える係合部材と、前記建築物に締結される複数のブラケットのそれぞれに取り外し自在に装着され、前記係合溝に挿入されて前記係合部材が係脱自在に掛け留められる係合ピンとを有し、前記ブラケットに装着される前記係合ピンのそれぞれに前記係合部材のそれぞれを掛け留めることにより、前記登攀ユニットを複数の前記ブラケットを介して前記建築物に取り付けることを特徴とする。
【００１０】
本発明の外壁登攀装置は、ねじ送り機構を介して前記登攀ユニットに連結されることにより高さ方向に移動自在の摺動枠に前記係合部材を設けることを特徴とする。
【００１１】
本発明の外壁登攀装置は、前記係合溝の下向き開口部を閉じる脱落防止用部材を前記係合部材に開閉自在に装着することを特徴とする。
【００１２】
本発明の外壁登攀装置は、上昇手段により吊られて建築物の外壁に沿って盛り替えられる登攀ユニットの外壁登攀装置であって、前記登攀ユニットに旋回自在に取り付けられ、前記建築物の内側に向けて伸びる締結位置と前記外壁に沿って配置される衝突回避位置とに旋回移動する複数の締結アームと、前記締結アームのそれぞれに装着され、前記締結アームの長手方向に移動するストッパと、前記ストッパに対向して配置されるとともに前記締結アームのそれぞれに固定され、前記ストッパとで前記躯体部を挟み込むことにより前記建築物に対して前記登攀ユニットを締結するスペーサとを有し、前記上昇手段により吊られた状態の前記登攀ユニットを前記締結アームの一部を前記躯体部に掛け渡して前記ストッパと前記スペーサとで前記躯体部を挟み込むことにより前記建築物に対して掛け留めた状態とした後、他の前記締結アームを前記躯体部に掛け渡して他の前記ストッパと他の前記スペーサとで前記躯体部を挟み込むことにより前記登攀ユニットを前記建築物に取り付けることを特徴とする。
【００１３】
本発明の外壁登攀装置は、前記締結アームの基端部には前記登攀ユニットに対して前記締結アームを旋回自在に支持するヒンジ金具が設けられ、前記ヒンジ金具には前記躯体部の高さ位置に合わせて前記登攀ユニットに締結されるクランプが連結されることを特徴とする。
【００１４】
本発明の外壁登攀装置は、前記登攀ユニットを盛り替える際には、一部の前記スペーサと前記ストッパとで前記躯体部を挟み込むことにより前記登攀ユニットが前記建築物に掛け留められた状態で、他の前記スペーサと他の前記ストッパとによる前記躯体部に対する締結を解除することを特徴とする。
【００１５】
本発明の外壁登攀方法は、上昇手段により吊られて建築物の外壁に沿って盛り替えられる登攀ユニットの外壁登攀方法であって、長手方向に移動自在にストッパが装着されるとともに前記ストッパに対向して配置されるスペーサが固定される複数の締結アームが旋回自在に取り付けられる前記登攀ユニットを前記上昇手段により吊られた状態とし、前記締結アームの一部を前記建築物の躯体部の一部に掛け渡すとともに前記躯体部を前記スペーサと前記ストッパとで挟み込むことにより、前記上昇手段により吊られた状態の前記登攀ユニットを前記建築物に掛け留められた状態とした後、他の前記締結アームを前記躯体部に掛け渡して他の前記ストッパと他の前記スペーサとで前記躯体部を挟み込むことにより前記登攀ユニットを前記建築物に取り付けることを特徴とする。
【００１６】
本発明の外壁登攀方法は、前記登攀ユニットを盛り替える際には、一部の前記スペーサと前記ストッパとで前記躯体部を挟み込むことにより前記登攀ユニットが前記建築物に掛け留められた状態で、他の前記スペーサと他のストッパとによる前記躯体部に対する締結を解除することを特徴とする。
【００１７】
本発明の外壁登攀方法は、前記締結アームは前記登攀ユニットにヒンジ結合され、前記躯体部に締結する際には前記建築物の内側に向けて伸びる締結位置に旋回させられ、前記登攀ユニットを盛り替える際には前記外壁に沿って配置される衝突回避位置に旋回させられることを特徴とする。
【発明の効果】
【００１８】
本発明によれば、上昇手段により吊られた状態の登攀ユニットを降下させてブラケットに装着された係合ピンに係合部材を掛け留めることにより係合ピンにより吊られた状態とすることにより、建築物に対して登攀ユニットを掛け留めることができる。このように掛け留められた状態では上昇手段を用いることなく登攀ユニットを吊られた状態にすることができ、この状態のもと、複数のクランプ付きブラケットを用いて登攀ユニットを建築物に取り付けることにより、建築物に対して登攀ユニットを強固に取り付けることができる。クレーンなどの上昇手段を使用し続ける時間が短いので、クレーンなどの上昇手段を資材の搬入などの他の作業に使用することができるので、工期の短縮を図ることができる。
【００１９】
本発明によれば、登攀ユニットを盛り替える際には、登攀ユニットが係合ピンにより吊られた状態で、複数のクランプ付きブラケットを建築物から取り外すことができる。クランプ付きブラケットの取り外し作業中においては、登攀ユニットは上昇手段を用いることなく係合ピンにより吊られた状態で保持されており、上昇手段の使用時間を短縮することで、上述の通り、工期の短縮を図ることができる。
【００２０】
本発明によれば、係合部材は下向きに開口する係合溝を備えており、ブラケットに装着された係合ピンの上側から吊り下ろすだけで登攀ユニットを建築物に対して容易かつ迅速に取り付けることができる。加えて、従来技術のように、固定ピンを挿入するために足場ユニットとブラケットのそれぞれに形成された貫通孔を一致させるような煩雑さがなく、クレーンなどの上昇手段の操作が容易であることから、クレーンを操縦する現場作業員の負担が小さく、工期の短縮につながる。また、上昇手段の使用時間を短縮することで、上述の通り、工期の短縮を図ることができる。
【００２１】
本発明によれば、係合部材を係合ピンに掛け留める際に、ねじ送り機構を操作して係合部材の高さ方向の位置を調節することにより、建築物の建築誤差やブラケットの取付誤差を吸収することができ、係合ピンと係合部材との間に生じる隙間を無くすように操作することで、それぞれの係合部材により確実に足場ユニットを取り付けることができる。
【００２２】
本発明によれば、係合部材の係合溝内に係合ピンを挿入させた後、係合部材に装着された脱落防止用部材を用いて係合溝の下向き開口部を閉じることにより、係合ピンの脱落を防止することができる。
【００２３】
本発明によれば、上昇手段により吊られた状態の登攀ユニットを締結アームの一部を躯体部に掛け渡してストッパとスペーサとで躯体部を挟み込むことにより建築物に対して掛け留めることができる。このように掛け留められた状態では上昇手段を用いることなく登攀ユニットを吊られた状態にすることができ、この状態のもと、他の締結アームを躯体部に掛け渡して他のストッパと他のスペーサとで躯体部を挟み込むことにより、建築物に対して登攀ユニットを強固に取り付けることができる。上昇手段の使用時間を短縮することで、上述の通り、工期の短縮を図ることができる。
【００２４】
本発明によれば、一部のスペーサとストッパとで躯体部を挟み込むことにより登攀ユニットが建築物に掛け留められた状態で、他のスペーサとストッパとによる躯体部に対する締結を解除することができる。登攀ユニットは上昇手段を用いることなく一部のスペーサとストッパとで躯体部を挟み込むことにより吊られた状態で保持されており、上昇手段の使用時間を短縮することで、上述の通り、工期の短縮を図ることができる。
【００２５】
本発明によれば、締結アームは登攀ユニットにヒンジ結合されており、建築物の内側に向けて伸びる締結位置に旋回させることにより躯体部に締結することができ、外壁に沿って配置される衝突回避位置に旋回させることにより登攀ユニットの移動中に締結アームが建築物に衝突することを防止することができる。このように締結アームを登攀ユニットに旋回自在に取り付けておくことにより、現場作業員が持ち運ぶ手間を省くことができ、盛り替え作業に伴う現場作業員の労力を小さくすることができる。ヒンジ金具に連結されるクランプを躯体部の高さに合わせて登攀ユニットに締結することにより、躯体部の高さに合わせて登攀ユニットに締結アームを取り付けることができる。
【発明を実施するための最良の形態】
【００２６】
以下、本発明の実施の形態を図面に基づいて詳細に説明する。
【００２７】
図１は建築物に取り付けられた状態の外壁登攀装置の一実施の形態を示す斜視図である。図１にはマンションやオフィスビルなどの建造中の建築物１０の各躯体部１０ａ〜１０ｃが示されており、例えば、躯体部１０ａが５階に相当するとき躯体部１０ｃが８階に相当し、それぞれの躯体部１０ａ〜１０ｃには躯体外壁部１１ａ〜１１ｃが各フロアの底面よりも上方に突出して設けられており、躯体外壁部１１ａ〜１１ｃの外面は建築物１０の外壁を構成している。
【００２８】
この外壁の外側には、建築物１０の建造中の部分を覆うように登攀ユニットとしての足場ユニット１２が配置されており、この足場ユニット１２は躯体部１０ａ〜１０ｃに締結された複数のブラケット１３及びクランプ付きブラケット１４により建築物１０に取り付けられている。図１に示す場合には、上層階側の躯体部１０ｃにはブラケット１３が着脱自在に締結されており、下層階側の躯体部１０ａ，１０ｂにはクランプ付きブラケット１４が着脱自在に締結されている。
【００２９】
図２は一実施の形態であるブラケットの拡大斜視図である。ブラケット１３は、躯体外壁部１１ｃの上面に配置される角パイプ状の締結梁１５を有し、この締結梁１５の先端部には躯体外壁部１１ｃの外面側に配置されるスペーサ１６が締結梁１５に対して直角に固定されており、このスペーサ１６とによりブラケット１３を躯体部１０ｃに締結するために、締結梁１５には摺動ブロック１７が摺動自在に装着され、この摺動ブロック１７にねじ部材１８が回転自在にねじ結合され、ねじ部材１８の先端には躯体外壁部１１ｃの内面に当接するストッパ１９が設けられている。これにより、ねじ部材１８を緩めるとブラケット１３を躯体部１０ｃから取り外すことができ、これを締め付けると躯体部１０ｃにブラケット１３を締結することができる。
【００３０】
スペーサ１６の外面上には一対の支持プレート２０，２１が外方に向けて突き出すように所定の間隔を隔てて直角に固定されている。それぞれの支持プレート２０，２１には係合ピン２２が挿入される貫通孔が形成されており、一方の支持プレート２０には係合フック２３が取り付けられている。係合ピン２２の基端部には係合リング２４が取り付けられており、係合ピン２２を係合フック２３が取り付けられた支持プレート２０側の貫通孔から挿入させた後、係合リング２４を係合フック２３に引っ掛けることにより、貫通孔に挿入された係合ピン２２が脱落しないようになっている。
【００３１】
スペーサ１６の上側には締結梁１５に対して直角となる向きにスペーサ２５が配置されており、このスペーサ２５は締結梁１５の上面に固定された連結部材２６に固定されている。スペーサ２５の略中央部には回転軸２７が組み込まれており、この回転軸２７先端にはガイドプレート２８が固定されており、ガイドプレート２８はスペーサ２５の前面で回転自在となっている。このガイドプレート２８の両端部には係合片２９ａ，２９ｂが突出して設けられており、これらの係合片２９ａ，２９ｂの間、つまり回転軸中心回りは切り欠き部２９ｃとなっている。
【００３２】
図３は一実施の形態であるクランプ付きブラケットの拡大斜視図である。クランプ付きブラケット１４は、躯体外壁部１１ａ，１１ｂの上面に配置される角パイプ状の締結梁３０を有し、この締結梁３０の先端部には躯体外壁部１１ａ，１１ｂの外面側に配置されるスペーサ３１が締結梁３０に対して直角に固定されており、このスペーサ３１とによりクランプ付きブラケット１４を躯体部１０ａ，１０ｂに締結するためのねじ部材３２が締結梁３０に往復動自在に装着されており、ねじ部材３２の先端にはストッパ３３が設けられている。このねじ部材３２を緩めるとブラケット１３を躯体部１０ａ，１０ｂから取り外すことができ、これを締め付けると躯体部１０ａ，１０ｂにブラケット１３を締結することができる。更に、スペーサ３１の略中央部には回転軸３４が組み込まれており、この回転軸３４先端には上述のガイドプレート２８と同様のガイドプレート３５が固定されており、ガイドプレート３５はスペーサ３１の前面で回転自在に装着されている。
【００３３】
締結梁３０の上面には四辺形枠３６が摺動自在に装着されており、四辺形枠３６の外面側の垂直枠部３６ａには２つのクランプ３７が取り付けられている。この四辺形枠３６を締結梁３０に沿って往復動させるために、締結梁３０を両側から挟み込むように固定された一対のプレート３８の間には、２本のガイドピン３９，４０が固定されている。これにより、四辺形枠３６の垂直枠部３６ｂがガイドピン３９に当接することにより四辺形枠３６の前進限位置が規制され、垂直枠部３６ａがガイドピン４０に当接することにより四辺形枠３６の後進限位置が規制される。図３に示すように、四辺形枠３６が前進限位置となった状態のもとで四辺形枠３６を締結梁３０に固定するために、プレート３８には四辺形枠３６の下側枠部３６ｃを貫通するねじ部材４１がねじ結合されるようになっている。
【００３４】
本実施の形態においては、現場作業員が乗り込んで種々の建築作業を行う足場は、鳥居形足場の主枠４２を垂直方向に複数連結するとともに、水平方向に隣り合って配置される主枠４２同士の間に鋼製の足場板４３を掛け渡すことにより形成されている（図１参照）。足場板４３が掛け渡された主枠４２のそれぞれを躯体部１０ａ〜１０ｃに取り付けるために、足場ユニット１２は、クランプ３７が着脱自在に装着される内側支柱４４と、複数のクランプ４５を用いて主枠４２に連結される外側支柱４６とを有しており、内側支柱４４と外側支柱４６は複数の連結部材４７により連結されている。また、内側支柱４４及び外側支柱４６の上端側には、これらの支柱４４，４６を連結するように係合部材４８が固定されている。
【００３５】
図４は一実施の形態である係合部材を示す拡大斜視図である。係合部材４８は、下向きに開口する係合溝４８ａを備える板状の部材であり、図１に示すように、係合溝４８ａの開口部が下側に配置されるように、内側支柱４４及び外側支柱４６のそれぞれに固定されている。図１に示す場合には、建築物１０の水平方向に沿って、５本の内側支柱４４及び外側支柱４６が所定の間隔おきに平行に配置されており、それぞれの支柱４４，４６の上端側には、同じ高さとなるように図４に示す係合部材４８が固定されている。
【００３６】
このように、足場ユニット１２を構成する主枠４２などの各種部材は、クランプ４５、連結部材４７、及び係合部材４８により相互に連結され、上昇手段としてのクレーン（図示省略）を用いることにより、解体することなく一体として移動させることができる足場ユニット１２を構成している。したがって、例えば、躯体部１０ａの作業を終えた場合には、足場ユニット１２を建築物１０の躯体部１０ａ〜１０ｃから取り外し、取り外された足場ユニット１２をクレーンなどにより所定の階数まで上昇移動させた後、建築物１０の躯体部に再び取り付けることができ、解体することなく足場ユニット１２を盛り替えることができるようになっている。
【００３７】
図５は足場ユニットを建築物に近づけている状態を示す断面図であり、図６は足場ユニットを建築物に取り付けた状態を示す断面図であり、図７は足場ユニットを上昇移動させている状態を示す断面図であり、図８は足場ユニットの上昇移動を完了した状態を示す断面図である。
【００３８】
図５に示す場合には、足場ユニット１２は、クレーンに設けられたワイヤ４９により持ち上げられ、建築物１０に接近移動させられている。建築物１０の躯体部１０ｃにはブラケット１３が予め締結されており、躯体部１０ａ，１０ｂにはクランプ付きブラケット１４が予め締結されている。足場ユニット１２を建築物１０に接近移動させる段階においては、ブラケット１３に係合ピン２２は装着されておらず、ガイドプレート２８，３５は水平方向となって係合片２９ａ，２９ｂ及び係合片５０ａ，５０ｂが内側支柱４４に係合しない状態となっており、四辺形枠３６は建築物１０の内方に向けて図５に示すように退避移動して内側支柱４４がクランプ３７に衝突しない状態となっている。
【００３９】
足場ユニット１２を建築物１０に取り付けるには、図５に示す状態から足場ユニット１２を建築物１０に接近移動させて内側支柱４４をガイドプレート２８，３５に接触させる。このときには、切り欠き部２９ｃから係合片２９ａ，２９ｂの間、及び切り欠き部５０ｃから係合片５０ａ，５０ｂの間に内側支柱４４を入り込ませることになる。次いで、係合ピン２２をブラケット１３に装着した後、足場ユニット１２を降下させ、係合ピン２２を係合溝４８ａの下向き開口部から係合溝４８ａ内に挿入させることにより、係合ピン２２に係合部材４８を掛け留める。この状態のもとで、より強固に足場ユニット１２を取り付けるため、四辺形枠３６を内側支柱４４に向けて前進限位置まで移動させ、クランプ３７のそれぞれを内側支柱４４に締結する。また、ガイドプレート２８，３５を９０°回転させて係合片２９ａ，２９ｂ及び係合片５０ａ，５０ｂを内側支柱４４に係合させる。このとき、足場ユニット１２は係合ピン２２を介して建築物１０に取り付けられていることから、クレーンを用いなくとも足場ユニット１２を吊っておくことができ、内側支柱４４にクランプ３７を取り付ける作業などを行うことができる。
【００４０】
このようにして、建築物１０に対して取り付けられた足場ユニット１２は図１に示す通りであり、足場ユニット１２は係合ピン２２に掛け留められるとともにクランプ３７により把持されることによって強固に取り付けられており、この状態のもとで現場作業員が足場板４３の上に乗り込んで種々の建築作業を行うことができる。躯体部１０ａを有するフロアの作業が終了し、更に、図６に示すように、躯体部１０ｄが建築された後には、足場ユニット１２を上昇移動させる、即ち盛り替えることができる。
【００４１】
足場ユニット１２を上昇移動させるためには、図６に示すように、係合ピン２２に係合部材４８が掛け留められた状態のもとで、内側支柱４４からクランプ３７を取り外し、四辺形枠３６を後退限位置まで退避移動させておく。また、新たに建築した躯体部１０ｄにブラケット１３を締結する。従来、足場ユニット１２を盛り替える際には、足場ユニット１２を建築物から取り外す段階からクレーンなどの起重機を用いて足場ユニット１２を吊るした状態とする必要があったが、本実施の形態においては、図７に示すように、足場ユニット１２は係合ピン２２に掛け留められており、クレーンを用いなくとも内側支柱４４からクランプ３７を取り外す作業などを行うことができる。よって、クレーンを操縦する現場作業員の負担が小さく、また、クレーンを資材の搬入などの他の作業に使用することができるので、工期の短縮を図ることができる。
【００４２】
その後、足場ユニット１２をクレーンに設けられたワイヤ４９により持ち上げるとともに、係合ピン２２をブラケット１３から取り外し、係合ピン２２と連結部材４７との衝突を回避する。このときには、ガイドプレート２８，３５は垂直方向を向いたままとして、係合片２９ａ，２９ｂ及び係合片５０ａ，５０ｂが内側支柱４４に対して係合した状態のままとする。この状態のもとで、足場ユニット１２を吊り上げると内側支柱４４がガイドレールとなって安定して上昇移動させることができ、足場ユニット１２を最上段側に配置されるブラケット１３よりも高い位置まで上昇させた後、係合ピン２２をブラケット１３に装着し、足場ユニット１２を降下させることにより、係合ピン２２に係合部材４８を掛け留める。
【００４３】
係合ピン２２に係合部材４８を掛け留めることにより、足場ユニット１２からワイヤ４９を取り外しても建築物１０に対して足場ユニット１２を吊るした状態とすることができる。その後、躯体部１０ｃにはブラケット１３に代えて、図８に示すようにクランプ付きブラケット１４が締結され、躯体部１０ｂ，１０ｃに締結されたクランプ付きブラケット１４を用いて足場ユニット１２を把持することにより建築物１０に対する取り付け状態を確実なものとする。
【００４４】
上述の通り、係合部材４８は下向きに開口する係合溝４８ａを備えており、ブラケット１３に装着された係合ピン２２の上側から吊り下ろすだけで容易に足場ユニット１２を建築物１０に対して迅速に取り付けることができるので、クレーンを使用し続ける時間が短い。加えて、掛け留め方式の係合ピン２２とクランプ３７の組み合わせにより足場ユニット１２の盛替えを行う本実施の形態においては、従来技術のように、固定ピンを挿入するために足場ユニットとブラケットのそれぞれに形成された貫通孔を一致させるような煩雑さがなく、クレーンの操作が容易であることから、工期の短縮につながる。なお、図１〜図８に示す前記実施の形態においては、係合部材４８は内側支柱４４及び外側支柱４６の上端側に固定されているが、それよりも下側に固定するようにしても良く、その場合にはブラケット１３は係合部材４８の取り付け位置に対応する高さの躯体部に締結されることになる。
【００４５】
図９は他の実施の形態である外壁登攀装置を示す断面図であり、特に足場ユニットを建築物に近づけている状態を示す断面図である。なお、図１に示す部材と共通する部材には同一の符合を付して重複した説明を省略する。
【００４６】
図９に示す場合には、躯体部１０ａ〜１０ｃのそれぞれにはブラケット１３が締結されており、建築物１０に向けて、他の実施の形態である足場ユニット５１が、クレーンに設けられたワイヤ４９により持ち上げられた状態で建築物１０に接近移動させられている。この足場ユニット５１を建築物１０に接近移動させる段階においては、ブラケット１３に係合ピン２２は装着されておらず、ガイドプレート２８は水平方向となって係合片２９ａ，２９ｂが内側支柱５２に係合しない状態となっている。
【００４７】
足場ユニット５１は、建築物１０の外壁に沿って配置される内側支柱５２と、複数の取付孔５３が形成された外側支柱５４とを有しており、内側支柱５２は連結支柱５２ａと摺動支柱５２ｂとを交互に連結することにより形成されている。外側支柱５４には取付孔５３に固定ピン（図示省略）を挿入することにより足場板支持梁５５が着脱自在に装着されており、連結支柱５２ａに設けられる連結部材５６と足場板支持梁５５とをクランプ５７で連結することにより、連結支柱５２ａと外側支柱５４が相互に連結され一体として移動するようになっている。この足場ユニット５１においては、上述の足場ユニット１２と異なり、内側支柱５２と外側支柱５４との間に配置される足場板支持梁５５に足場板を掛け渡すようになっている。また、外側支柱５４には、取付孔５３に固定ピン（図示省略）を挿入することにより支持ユニット５９が着脱自在に装着されている。
【００４８】
図１０（Ａ）は図９に示す摺動支柱に連結された支持ユニットを拡大して示す平面図であり、図１０（Ｂ）は図１０（Ａ）に示すＸ−Ｘ線に沿う方向からみた内側支柱の断面図であり、図１１は図１０に示す支持ユニットに組み付けられる係合部材の拡大斜視図である。この支持ユニット５９は、外側支柱５４の取付孔５３に連通して図示しない固定ピンが挿入される取付孔形成部６１ａ，６１ｂを両端に備える支持棒材６２を有しており、この支持棒材６２には摺動パイプ６３が往復動自在に装着されており、摺動パイプ６３の下端部には支持梁６４の一端部が摺動パイプ６３に対して直角に固定されている。
【００４９】
支持梁６４は複数の位置決め孔６５が形成された角パイプ状の部材であり、その他端部には摺動支柱５２ｂに対する取り付け面を形成する連結プレート６４ａが設けられている。この連結プレート６４ａと摺動パイプ６３の上端部は補強部材６６により連結されており、摺動パイプ６３、支持梁６４、連結プレート６４ａ、及び補強部材６６とにより構成される略三角形状の摺動枠６７は支持棒材６２に対して一体として摺動するようになっている。なお、図示する場合には、摺動枠６７には足場板支持梁６８が固定されており、図示しない足場板を掛け渡すことができるようになっている。
【００５０】
図１０（Ｂ）に示すように、摺動支柱５２ｂは、連結プレート６４ａに突き当てられ図示しない締結ボルトなどの締結具により相互に締結される締結プレート部５２ｃを有している。この締結プレート部５２ｃには長手方向に沿って締結具が挿入される締結孔５２ｄが所定の間隔おきに形成されており、摺動支柱５２ｂに対する支持ユニット５９の高さ方向の締結位置を調節することができる。図１０（Ａ）に示すように、摺動支柱５２ｂの端部には連結支柱５２ａの端部が摺動自在に挿入されている。これにより、摺動支柱５２ｂに対して支持ユニット５９を締結することで、摺動枠６７と摺動支柱５２ｂとが一体として上下方向に摺動する。なお、連結支柱５２ａの端部は、摺動支柱５２ｂが上下方向に摺動した場合でも摺動支柱５２ｂが抜け落ちない程度に、摺動支柱５２ｂの端部に対して十分に挿入されている。
【００５１】
支持梁６４には係合部材５８が図示しないねじ部材を用いて取り外し自在に装着されている。この係合部材５８は、下向きに開口する係合溝６０ａを備え、支持梁６４を両側から挟み込むようにして配置される一対の係合プレート６０を有している。一方の係合プレート６０の下端部には、係合溝６０ａの下向き開口部を挟み込むようにして、脱落防止用部材７０の基端部が回転自在に装着される支持部材６９ａと、脱落防止用部材７０が係脱自在に掛け渡される係合突起６９ｂとが設けられている。これにより、係合溝６０ａ内に係合ピン２２を挿入させた後、脱落防止用部材７０を図１１に矢印で示す方向に回転させ、その先端部に形成された凹部７０ａを係合突起６９ｂに掛け留めることにより係合溝６０ａの下向き開口部が閉じられるように脱落防止用部材７０を掛け渡し、係合ピン２２の脱落を防止することができるようになっている。
【００５２】
係合プレート６０のそれぞれには、位置決め孔６５に連通する締結孔６０ｂが形成されており、支持梁６４に対する係合部材５８の水平方向の取付位置を調節できるようになっている。他方、係合部材５８の高さ方向の位置を調節するために、基端部が摺動枠６７に連結される送りねじ７１が上側の取付孔形成部６１ａにねじ結合されており、送りねじ７１に設けられたハンドル７２を回転させることにより、支持棒材６２に対して摺動枠６７と摺動支柱５２ｂとを一体として往復動させられるようになっている。これにより、図９に示すように、支持ユニット５９を外側支柱５４に固定した状態において、ハンドル７２を操作することにより、係合部材５８の高さ方向の位置を調節することができ、送りねじ７１とハンドル７２は係合部材５８の高さ方向の位置を調節するねじ送り機構を構成している。
【００５３】
図１２は図９に示す足場ユニットを建築物に取り付けた状態を示す断面図であり、図１３は図９に示す足場ユニットを上昇移動させている状態を示す断面図であり、図１４は図９に示す足場ユニットの上昇移動を完了した状態を示す断面図である。
【００５４】
足場ユニット５１を建築物１０に取り付けるには、図９に示す状態から足場ユニット５１を建築物１０に接近移動させて内側支柱５２をガイドプレート２８に接触させる。このときには、切り欠き部２９ｃから係合片２９ａ，２９ｂの間に内側支柱５２を入り込ませることになる。次いで、係合ピン２２をブラケット１３に装着した後、足場ユニット５１を降下させ、係合ピン２２に係合部材５８を掛け留める。これによって、建築物１０に対して足場ユニット５１を取り付けることができるが、この際、ハンドル７２を操作して、係合部材５８の高さ方向の位置を調節することにより、建築物１０の建築誤差やブラケット１３の取付誤差を吸収することができ、係合ピン２２と係合部材５８との間に生じる隙間を無くすようにハンドル７２を操作することで、それぞれの係合部材５８により確実に足場ユニット５１を取り付けることができる。また、ガイドプレート２８を９０°回転させて係合片２９ａ，２９ｂを内側支柱５２に係合させる。
【００５５】
なお、図示する場合には、支持ユニット５９のそれぞれにねじ送り機構が設けられているが、いずれか１つの支持ユニットについてはねじ送り機構を設けなくても良く、この場合には、ねじ送り機構が設けられた他の支持ユニット５９のハンドル７２を操作することにより、建築物１０の建築誤差やブラケット１３の取付誤差を吸収して、それぞれの係合部材５８により確実に足場ユニット５１を取り付けることもできる。
【００５６】
このようにして、建築物１０に対して取り付けられた足場ユニット５１は図１２に示す通りであり、この状態のもとで現場作業員が足場板の上に乗り込んで種々の建築作業を行うことができる。躯体部１０ａを有するフロアの作業が終了し、更に、図１２に示すように、躯体部１０ｄが建築された後には、足場ユニット５１を上昇移動させる、即ち盛り替えることができる。
【００５７】
足場ユニット５１を上昇移動させるためには、図１３に示すように、足場ユニット５１をクレーンに設けられたワイヤ４９により持ち上げるとともに、速やかに係合ピン２２をブラケット１３から取り外し、係合ピン２２と連結部材５６との衝突を回避する。このときには、ガイドプレート２８は垂直方向を向いたままとして、足場ユニット５１を安定した状態で吊り上げる。また、新たに建築した躯体部１０ｄにブラケット１３を締結するとともに、足場ユニット５１をブラケット１３より僅かに高い位置まで上昇させた後、係合ピン２２をブラケット１３に装着し、次いで、足場ユニット５１を降下させ、係合ピン２２に係合部材５８を掛け留める。このようにして、建築物１０に対して取り付けられた足場ユニット５１は図１４に示す通りであり、この状態のもとで現場作業員が足場板の上に乗り込んで種々の建築作業を行うことができる。なお、最下段の係合ピン２２よりも下側に連結部材５６が配置されていない場合には、最下段以外の係合ピン２２をブラケット１３から取り外せば足場ユニット５１を上昇移動させることができる。
【００５８】
上述の通り、係合部材５８は下向きに開口する係合溝６０ａを備えており、ブラケット１３に装着された係合ピン２２の上側から吊り下ろすだけで容易に足場ユニット５１を建築物１０に対して迅速に取り付けることができるので、クレーンを使用し続ける時間が短い。加えて、掛け留め方式の係合ピン２２により足場ユニット５１の盛替えを行う本実施の形態においては、従来技術のように、固定ピンを挿入するために足場ユニットとブラケットのそれぞれに形成された貫通孔を一致させるような煩雑さがなく、クレーンの操作が容易であることから、工期の短縮につながる。
【００５９】
図１５は他の実施の形態である外壁登攀装置を示す断面図であり、特に足場ユニットを建築物に近づけている状態を示す断面図である。なお、図１に示す部材と共通する部材には同一の符合を付して重複した説明を省略する。
【００６０】
図１５に示す場合には、建築物１０に向けて、他の実施の形態である足場ユニット８０が、クレーンに連結されたワイヤ４９により持ち上げられた状態で建築物１０に接近移動させられている。足場ユニット８０は、図１に示す足場ユニット１２と同様、鳥居形足場の主枠４２を垂直方向に複数連結するとともに、水平方向に隣り合って配置される主枠４２同士の間に鋼製の足場板４３を掛け渡すことにより形成されている。足場板４３が掛け渡された主枠４２のそれぞれを躯体部１０ａ〜１０ｃに取り付けるために、足場ユニット１２は、複数のクランプ４５を用いて主枠４２に連結される中間支柱８１を有しており、この中間支柱８１には複数の旋回式ブラケット８２が取り付けられている。
【００６１】
図１６は一実施の形態である旋回式ブラケットを示す斜視図である。旋回式ブラケット８２は、長手方向に所定の間隔おきに複数の位置決め孔８３ａが貫通して形成される角パイプ状の締結アーム８３を有し、この締結アーム８３には摺動ブロック８４が摺動自在に装着されており、摺動ブロック８４には位置決め孔８３ａのいずれか１つに連通させた状態で図示しない位置決めピンが挿入される位置決め孔８４ａが形成されている。摺動ブロック８４には先端部にストッパ８５が設けられたねじ部材８６がねじ結合されており、ねじ部材を図示しない回転工具により回転させることによりストッパ８５が締結アーム８３の長手方向に移動されるようになっている。
【００６２】
このストッパ８５とにより旋回式ブラケット８２を躯体部１０ａ〜１０ｃに締結するために、締結アーム８３の中間部にはストッパ８５に対向して配置されるスペーサ８７が締結アーム８３に対して直角に固定されている。締結アーム８３の先端部側には、中間支柱８１に着脱自在に締結されるクランプ８８を備えるクランプ保持具８９が配置されており、このクランプ保持具８９はヒンジ金具９０を介して締結アーム８３及びスペーサ８７のそれぞれに連結されており、クランプ８８を中間支柱８１に締結した状態で、締結アーム８３は建築物１０の内側に向けて伸びる締結位置と外壁に沿って配置される衝突回避位置とに旋回移動することができるようになっている。なお、図示する場合には、足場ユニット８０に取り付けられた締結アーム８３が上下方向に旋回移動するように、クランプ保持具８９と締結アーム８３とをヒンジ金具により連結しても良い。また、ヒンジ金具９０の回転を阻止するための図示しない回転止めピンがヒンジ金具９０に装着されるようになっており、締結アーム８３を締結位置や衝突回避位置で保持することができるようになっている。
【００６３】
足場ユニット８０を建築物１０に締結するために、図１５に示すように、足場ユニット８０に取り付けられる締結アーム８３の一部は締結位置で保持され、他の締結アーム８３は衝突回避位置で保持されている。図１５に示す場合においては、最上段側の旋回式ブラケット８２の締結アーム８３が締結位置で保持されており、クレーンを操作してこの締結アーム８３を躯体部１０ｃの一部である躯体外壁部１１ｃに掛け渡すとともに、この締結アーム８３に固定されたストッパ８５とスペーサ８７とで躯体外壁部１１ｃを挟み込むことにより、クレーンにより吊られた状態の足場ユニット８０が建築物１０に掛け留められるようになっている。
【００６４】
このようにして建築物１０に掛け留められた足場ユニット８０はワイヤ４９を取り外しても建築物１０に対して吊られた状態にすることができ、他の旋回式ブラケット８２を躯体外壁部１１ａ，１１ｂに取り付けている間でクレーンを用いて足場ユニット８０を吊っておく必要が無いことから、クレーンを使用し続ける時間を短くすることができる。なお、図１５に示す場合には、最上段側の旋回式ブラケット８２を躯体外壁部１１ｃに掛け留めるようにしているが、これに限らず、躯体外壁部１１ａ，１１ｂに対応して取り付けられる旋回式ブラケット８２により掛け留めるようにしても良い。
【００６５】
図１７は図１５に示す足場ユニットを建築物に取り付けた状態を示す断面図である。図１７に示すように、他の旋回式ブラケット８２を躯体外壁部１１ａ，１１ｂに取り付けることにより、建築物１０に対して足場ユニット８０を強固に取り付けることができ、現場作業員は足場板４３に乗り込んで種々の建築作業を行うことができる。図１７に示すように、躯体部１０ｃの上層階側に新たに躯体部１０ｄを建築し終えたら、足場ユニット８０を建築物の外壁に沿って盛り替えることが可能である。
【００６６】
足場ユニット８０を盛り替える際には、躯体外壁部１１ａ〜１１ｃの一部をスペーサ８７とストッパ８５とで挟み込むことにより足場ユニット８０が建築物１０に掛け留められた状態で、他のスペーサ８７とストッパ８５とによる締結を解除することにより他の旋回式ブラケット８２を取り外すことができる。例えば、最上段側に配置される旋回式ブラケット８２を躯体外壁部１１ｃに掛け留めた状態で、躯体外壁部１１ａ，１１ｂに取り付けられた旋回式ブラケット８２の取り外し作業を行うことができ、クレーンの使用時間を短縮することができる。
【００６７】
図１８は図１５に示す足場ユニットを上昇移動させている状態を示す断面図である。足場ユニット８０を上昇移動させる際には、締結アーム８３のそれぞれを衝突回避位置に移動させることにより、建築物１０との衝突を回避する。足場ユニット８０を所定の位置まで上昇移動させたら、一部の締結アーム８３を締結位置に移動させて足場ユニット８０を掛け留める。この状態のもと、他の旋回式ブラケット８２を用いて足場ユニット８０を建築物１０に取り付けることにより、クレーンの使用時間を短縮することができる。
【００６８】
このように旋回式ブラケット８２のそれぞれを足場ユニット８０に旋回自在に取り付けておくことにより、現場作業員が持ち運ぶ手間を省くことができ、盛り替え作業に伴う現場作業員の労力を小さくすることができる。ヒンジ金具９０に連結されるクランプ８８を躯体外壁部１１ａ〜１１ｄの高さに合わせて足場ユニット８０に締結することにより、躯体外壁部１１ａ〜１１ｄの高さに合わせて足場ユニット８０に締結アーム８３を取り付けることができ作業性が良い。
【００６９】
本発明は前記実施の形態に限定されるものではなく、その要旨を逸脱しない範囲で種々変更可能である。たとえば、前記実施の形態においては、足場ユニット１２，５１，８０などの登攀ユニットを上層階へ移動させる場合についてのみ言及しているが、下層階へ移動させる場合にも本発明を適用することができる。また、本発明により盛り替えられる登攀ユニットとしては、上述の足場ユニット１２，５１，８０に限られることなく、種々の構造の足場ユニットや安全ネットにも適用することができる。
【図面の簡単な説明】
【００７０】
【図１】建築物に取り付けられた状態の外壁登攀装置の一実施の形態を示す斜視図である。
【図２】一実施の形態であるブラケットの拡大斜視図である。
【図３】一実施の形態であるクランプ付きブラケットの拡大斜視図である。
【図４】一実施の形態である係合部材を示す拡大斜視図である。
【図５】足場ユニットを建築物に近づけている状態を示す断面図である。
【図６】足場ユニットを建築物に取り付けた状態を示す断面図である。
【図７】足場ユニットを上昇移動させている状態を示す断面図である。
【図８】足場ユニットの上昇移動を完了した状態を示す断面図である。
【図９】他の実施の形態である外壁登攀装置を示す断面図である。
【図１０】（Ａ）は図９に示す摺動支柱に連結された支持ユニットを拡大して示す平面図であり、（Ｂ）は図１０（Ａ）に示すＸ−Ｘ線に沿う方向からみた内側支柱の断面図である。
【図１１】図１０に示す支持ユニットに組み付けられる係合部材の拡大斜視図である。
【図１２】図９に示す足場ユニットを建築物に取り付けた状態を示す断面図である。
【図１３】図９に示す足場ユニットを上昇移動させている状態を示す断面図である。
【図１４】図９に示す足場ユニットの上昇移動を完了した状態を示す断面図である。
【図１５】他の実施の形態である外壁登攀装置を示す断面図であり、特に足場ユニットを建築物に近づけている状態を示す断面図である。
【図１６】一実施の形態である旋回式ブラケットを示す斜視図である。
【図１７】図１５に示す足場ユニットを建築物に取り付けた状態を示す断面図である。
【図１８】図１５に示す足場ユニットを上昇移動させている状態を示す断面図である。
【符号の説明】
【００７１】
１０  建築物
１０ａ〜１０ｄ  躯体部
１１ａ〜１１ｃ  躯体外壁部
１２  足場ユニット（登攀ユニット）
１３  ブラケット
１４  クランプ付きブラケット
２２  係合ピン
３７  クランプ
４８  係合部材
４８ａ  係合溝
５１  足場ユニット（登攀ユニット）
５８  係合部材
６０ａ  係合溝
６７  摺動枠
７０  脱落防止用部材
７１  送りねじ
８０  足場ユニット（登攀ユニット）
８３  締結アーム
８５  ストッパ
８７  スペーサ
８８  クランプ
９０  ヒンジ金具
【図１】
2006241967.tif 000003
【図２】
2006241967.tif 000004
【図３】
2006241967.tif 000005
【図４】
2006241967.tif 000006
【図５】
2006241967.tif 000007
【図６】
2006241967.tif 000008
【図７】
2006241967.tif 000009
【図８】
2006241967.tif 000010
【図９】
2006241967.tif 000011
【図１０】
2006241967.tif 000012
【図１１】
2006241967.tif 000013
【図１２】
2006241967.tif 000014
【図１３】
2006241967.tif 000015
【図１４】
2006241967.tif 000016
【図１５】
2006241967.tif 000017
【図１６】
2006241967.tif 000018
【図１７】
2006241967.tif 000019
【図１８】
2006241967.tif 000020